(57)【要約】【課題】液晶表示装置のバックライト用蛍光放電管を駆動するインバータ回路のインバータ変圧器から発生する音響雑音が、液晶表示装置と一体化して具備するマイクロホンへ混入することを防止、または、軽減する音声信号の信号対雑音比改善技術を提供する。【解決手段】マイクロホン６を、インバータ回路４のインバータ変圧器５から最も遠い位置に離隔し、配設する。または、マイクロホン６からの音声入力を扱う録音機能や音声認識機能を作動させる操作が行われると、該操作に連動し、パルス幅変調によるインバータ回路の蛍光放電管の減光動作を停止し、連続動作に切り替える。【選択図】  図１
2005195902.tif 000002
【特許請求の範囲】
【請求項１】
バックライト点灯用インバータ回路および集音用マイクロホンを備えた液晶表示装置において、前記バックライト点灯用インバータ回路と前記集音用マイクロホンを相互に離隔し、配設したことを特徴とする液晶表示装置。
【請求項２】
請求項１に記載の液晶表示装置において、集音用マイクロホンの動作時に、連動して液晶表示装置のバックライトの減光動作を停止し、連続点灯動作に切り替えることを特徴とする液晶表示装置。
【発明の詳細な説明】
【技術分野】
【０００１】
本発明は、液晶表示装置のバックライト用蛍光放電管を駆動するインバータ回路中のインバータ変圧器から発生する音響雑音を、マイクロホンが集音することを防止、または、軽減する音声信号の信号対雑音比改善技術である。
【背景技術】
【０００２】
液晶表示装置は、一義的には画像情報の出力装置であるが、テレビジョン受像機に見られるごとく、液晶表示装置の多くが、オーディオビジュアル機器と称せられ、音声装置をも具備している。また、特開昭４９−３８５１８号公報に見られるごとく、テレビジョン受像機中にタイマー回路と音声テープレコーダースイッチを持って構成し、該音声テープレコーダー用として、音声入力手段としてのマイクロホンを有し、録音された音声を適宜に再生する考案も成されている。
【特許文献１】特開昭４９−３８５１８号公報  「ママホーンつきTV」
【発明の開示】
【発明が解決しようとする課題】
【０００３】
液晶表示装置においては、バックライトを構成要件とし、バックライトとして、エレクトロルミネッセンス（EL）を適用する場合もあるが、色調、明るさ、長期信頼性の観点から、蛍光放電管が広く適用されている。蛍光放電管は、放電動作を維持するために、放電電極間に高電圧を印加する必要があり、低電圧の直流電源電圧を高電圧に変換する装置として、インバータ回路が使用される。
【０００４】
インバータ回路は変圧器を構成要件とし、さらに変圧器は、巻き線、および鉄心を構成材料としている。巻き線に流れる負荷電流が大幅に変動する場合には、巻き線が巻かれた鉄心内部に生じる磁歪現象により、負荷変動周期に応じた周波数の音波が、鉄心から空間に発せられる。該音波周波数が、可聴周波数帯域内にある場合に、視聴者は音響雑音として認識し、特に音声入力装置としてマイクロホンを具備する装置では、音響雑音の混入による音声品位低下の問題を惹起する。
【課題を解決するための手段】
【０００５】
そこで、本発明は、バックライト点灯用インバータ回路および集音用マイクロホンを備えた液晶表示装置において、前記バックライト点灯用インバータ回路と前記集音用マイクロホンを相互に離隔し、配設したことを特徴とする。さらに、前記液晶表示装置において、集音用マイクロホンの動作時に、連動して液晶表示装置のバックライトの減光動作を停止し、連続点灯動作に切り替えることを特徴とする。
【発明の効果】
【０００６】
液晶表示装置のバックライト用インバータ回路の減光動作中に、インバータ回路中のインバータ変圧器から発する音響雑音を、マイクロホンが集音することを防止し、あるいは、軽減し、音声入力信号品位の低下を防止することができる。
【発明を実施するための最良の形態】
【０００７】
図２は、バックライト用蛍光放電管３の電極間に印加される電圧波形を示している。消灯時には、図中の「ＯＦＦ」期間に示すごとく、電圧は印加されない。点灯スイッチを「ＯＮ」した直後は、図中に「E-ign」と示す数キロボルトの点弧電圧が印加され電極間にアークを形成する。一旦、アークが形成されると、図中に「E-arc」と示す放電維持電圧にまで低下させても安定な放電が維持される。図中に「E-off」と示す消弧電圧以下では放電を維持することができず消灯する。
【０００８】
通常は、図２に「Ｈ」と示すごとく一定の放電維持電圧「E-arc」を蛍光放電管３に印加し、最も明るい表示画面を提供する。しかし、暗い視聴環境下では、減光することが、好ましい場合がある。白熱灯と異なり、蛍光放電管では印加電圧の変化により発光量を調節することができず、図中に「Ｍ」（中間）、または、「Ｌ」（暗）と示すごとく消弧電圧「E-off」を下回ることなく、放電維持電圧「E-arc」のデューティーサイクルを変化させるパルス幅変調により、発光量を調節する。
【０００９】
図２中の「Ｍ」、または、「Ｌ」と示すごとく、蛍光放電管を減光させた状態では、蛍光放電管に印加する電圧は、放電維持電圧「E-arc」と消弧電圧「E-off」に近い電圧間で周期的に変動する。従って蛍光放電管に流入する負荷電流も同様の周期で大幅に変動する。大幅な負荷電流の変動は、インバータ変圧器の巻き線を流れる電流の変動となり、巻き線が巻かれた鉄心に同周波数の磁歪振動を生じせしめ、音響雑音として大気中に放射される。
【実施例１】
【００１０】
図１は、本発明に係る液晶表示装置の実施例１の構成を示した組立て図である。前キャビネット１、画像情報を表示するための液晶表示パネル２、蛍光放電管３、インバータ回路４、インバータ変圧器５，音声を集音するためのマイクロホン６、スピーカ７から構成される。
【００１１】
図１に示す表示装置に録音機能を内蔵する場合、上記の蛍光表示管３の減光時に、インバータ回路４内のインバータ変圧器５から放射される音響雑音を、マイクロホン６が集音し、本来、録音されるべき音声情報に重畳し、音声信号の信号対雑音比低下により、音声再生時の音声品位が低下、または音声認識処理機能を有する場合には、音声信号の信号対雑音比低下に起因し、認識率を低下させるなどの不都合を惹起する。
【００１２】
インバータ変圧器５からの音響雑音をマイクロホン６が集音することにより発生する信号対雑音比の低下を防止、または、軽減するため、たとえば、図１に示すごとく、音響雑音発生源となるインバータ変圧器５が、表示画面の左後部に配設される場合には、操作性をも勘案し、マイクロホン６を、液晶表示パネル２の両側に配設された両袖スピーカ７の内の右側上部に配設し、該インバータ変圧器５から最も大きい離隔距離を確保している。
【実施例２】
【００１３】
図３は、本発明に係る液晶表示装置の実施例２を説明するための主要部分を示した回路ブロック図である。図中のインバータ回路４に接続された「ＳＷ−１」は、蛍光放電管３の発光量を調整する切り替えスイッチである。「Ｈ」では連続点灯し、発光量が最大で表示画面が明るい。「Ｍ」では、図２に示すごとく、たとえば、点灯のデューティーサイクルが５０％程度で発光量は５０％程度に減光する。「Ｌ」では、点灯のデューティーサイクルが３０％程度で発光量は３０％程度に減光する。
【００１４】
図３の「ＳＷ−２」を、「Ｈ」に切り替えた場合のみ、マイクロホン３で集音された音声信号が、音声録音や音声認識などの音声処理回路に送られる。「Ｍ」、および「Ｌ」では、マイクロホン３は、前記音声信号処理回路から切り離される。図中の「ＳＷ−１」、および「ＳＷ−２」は、「ＳＷ−２」が、「Ｈ」の場合に、「ＳＷ−１」も同様に「Ｈ」となるよう電気的に連動する。マイクロホン３の動作時は、インバータは連続点灯状態となり、インバータ変圧器５による音響雑音の発生を抑止する。
【産業上の利用可能性】
【００１５】
本発明は、液晶表示装置以外には、バックライトの点灯駆動用インバータ回路とマイクロホンを備えた、映像音響機器に利用可能である。
【図面の簡単な説明】
【００１６】
【図１】本発明に係る液晶表示装置の主要構成要素を示した組立て図である。
【図２】バックライト用蛍光放電管の電極間に印加される電圧波形を示している。
【図３】本発明に係る液晶表示装置の主要部分を示した回路ブロック図である。
【符号の説明】
【００１７】
１：前キャビネット
２：液晶表示パネル
３：蛍光放電管
４：インバータ回路
５：インバータ変圧器
６：マイクロホン
７：スピーカ
【図１】
2005195902.tif 000003
【図２】
2005195902.tif 000004
【図３】
2005195902.tif 000005